(57)【要約】【課題】簡単な構成でありながら、生簀や定置網の箱網、魚の大小選別網のような大型の漁業用網体を安定的に浮沈させる。【解決手段】繊維を筒状に織った後、エアーの漏洩防止手段としてゴムや樹脂で内張りもしくは内張り、外張りを処理した可撓性のホースと、前記ホースの内部空間に連通するように当該ホースに設けられた高圧空気の給排気口と、前記給排気口に連結された給気・排気手段と、を備え、前記ホースは、内部空間に空気が充填されない状態では扁平状に潰れており、内部空間に空気が充填された状態では円筒状に膨らむように形成されている、漁業用網体の浮沈に用いる浮沈式ホース。【選択図】図７
2011142878.tif 000002
【特許請求の範囲】
【請求項１】
繊維を筒状に織った後、エアーの漏洩防止手段としてゴムや樹脂で内張りもしくは内張り、外張りを処理した可撓性のホースと、
前記ホースの内部空間に連通するように当該ホースに設けられた少なくとも1つの高圧空気の給排気口と、
前記給排気口に連結された給気・排気手段と、
前記ホースに連結された、あるいは／および、少なくとも一部が前記ホースにより形成されている漁業用網体と、を備え、
前記ホースの内部空間は、前記給排気口を除いてエアー漏れが無いように閉じられており、
前記ホースは、内部空間に空気が充填されない状態では扁平状に潰れており、内部空間に空気が充填された状態では円筒状に膨らむように形成されており、
前記漁業用網体は自重で沈下するように形成されており、
前記ホースは、水中において、前記給気手段により当該ホースの内部空間に空気を供給することで水圧を受けつつ膨らんで前記漁業用網体を浮上させ、前記排気手段と水圧との協働作用で扁平状に潰れて前記漁業用網体を沈下させる、漁業用浮沈システム。
【請求項２】
前記漁業用網体は、魚類養殖用生簀である、請求項１に記載の漁業用浮沈システム。
【請求項３】
前記ホースは、魚類養殖用生簀の全周に亘って配置されている、請求項２に記載の漁業用浮沈システム。
【請求項４】
前記漁業用網体は、定置網の箱網部である、請求項１に記載の漁業用浮沈システム。
【請求項５】
前記ホースは、定置網の箱網の底部の下面に位置して配置されている、請求項４に記載の漁業用浮沈システム。
【請求項６】
定置網の箱網の底部に配設された前記ホースは、当該底部全体に亘って網目模様に構成されたホースネットである、請求項５に記載の漁業用浮沈システム。
【請求項７】
前記漁業用網体は、複数の網目を備えた選別部分と、当該選別部分の周囲の縁部と、を備えた魚の大小選別ホースネットである、請求項１に記載の漁業用浮沈システム。
【請求項８】
前記ホースは、前記魚の大小選別ホースネットの縁部全体に亘って配置されている、請求項７に記載の漁業用浮沈システム。
【請求項９】
前記魚の大小選別ホースネットの一部あるいは全部が前記ホースから形成されている、請求項７または８に記載の漁業用浮沈システム。
【請求項１０】
前記可撓性のホースは、消防用ホースからなる、請求項１乃至９いずれかに記載の漁業用浮沈システム。
【請求項１１】
繊維を筒状に織った後、エアーの漏洩防止手段としてゴムや樹脂で内張りもしくは内張り、外張りを処理した可撓性のホースと、
前記ホースの内部空間に連通するように当該ホースに設けられた少なくとも1つの高圧空気の給排気口と、
前記給排気口に連結された給気・排気手段と、を備え、
前記ホースの内部空間は、前記給排気口を除いてエアー漏れが無いように閉じられており、
前記ホースは、内部空間に空気が充填されない状態では扁平状に潰れており、内部空間に空気が充填された状態では円筒状に膨らむように形成されており、
前記ホースは、水中において、前記給気手段により当該ホースの内部空間に空気を供給することで水圧を受けつつ膨らみ、前記排気手段と水圧との協働作用で扁平状に潰れる、漁業用網体の浮沈に用いる浮沈式ホース。
【発明の詳細な説明】
【技術分野】
【０００１】
本発明は、漁業用浮沈システムに係り、魚類養殖用の生簀、定置網の箱網、等の大型の漁業用網体に浮沈式ホースを配設し、当該浮沈式ホースへの高圧空気の給入ないし排気を介して漁業用網体の浮沈を実行する装置に関する。
【背景技術】
【０００２】
［Ａ］魚類養殖用の浮沈生簀
現在魚類を養殖する方法として海況が荒れる地域では浮沈式生簀が普及している。主な対象魚はブリ、カンパチ、タイ等である。使用されている浮沈式生簀は大きく分類すると次の(1)〜(3)に分けられる。
【０００３】
(1)フロート式生簀(図１)
フロート式生簀は一般に四角形で枠は鋼管で構成され、この枠に生簀網を取り付けている。この枠と網の重量をキャンセルするために複数個のフロートを取り付けている。生簀の浮沈は上部にはエアーの注入口、排気口、また底部には海水の注入口、排水口を設けた浮沈用のフロートで行っている。生簀の浮上はフロートに高圧のエアーを注入することによって、フロートから海水を排出し生簀を浮上させ、また沈下は浮体のエアーを排気し浮体に海水を注入することによって生簀を沈下させている。この浮沈用フロートは生簀の大きさに応じて複数個取り付けている。
フロート式生簀において浮沈フロートの取り付け位置が生簀の浮体の作用点となる。浮沈フロートの取り付けは四角形の枠において左右対称が基本で1辺に1個で合計４個、１辺に2個で合計8個が基本となる。1辺に1個で合計2個、1辺に2個で合計４個の場合もある。またフロート底部の海水の注入、排出口のヘッドは潮の流れから来る生簀の傾きによって変わる。
生簀枠にフロートを取り付ける場合、フロートの位置決めが大変難しくこれが左右対称となっていない場合は浮体の作用点がずれる事になり、生簀が安定して浮沈が出来ない事がある。また潮の流れによって生簀が傾くため、底部の注入、排水口のヘッドが異なり生簀の浮沈時の形状の安定が図りにくいことがある。また、フロートの数を多くした場合、作用点が多くなりこれの調整が大変複雑となり、また注水口、排水口のヘッドが夫々異なるため生簀の浮沈時の安定性が図りにくくなる。このため大型の生簀には適用しにくい。現在最も大きな生簀で1辺の長さが25ｍ程度である。これ以上の生簀への採用はない。
【０００４】
(2)スパー方式生簀（図２）
生簀の形状は算盤球のような形状で、生簀の中心部には鋼管、生簀の中央部はリムを設け、このリムは鋼管の上下からのスポークラインで支えられている。生簀網はスポークラインの内側に張られている。鋼管の上部にはエアーの注入口、排気口、また底部には海水の注入口、排水口を設けた構造となっている。生簀の浮上は鋼管に高圧のエアーを注入することによって鋼管から海水を排出し浮上させ、また沈下は鋼管のエアーを排気し鋼管に海水を注入することによって生簀を沈下させている。
生簀の規模はスパーの長さによって制限される。一般的にはスパーの長さは輸送面から制限され15m程度、リムの直径は25m程度で、生簀の上方の容積が小さくなることから生簀の容積は3,000ｍ３程度となり、これより大きな容積の生簀は難しい。また鋼管他リム等にコストがかかるため生簀のコストは高い。
【０００５】
(3)パイプ方式生簀（図３）
生簀の形状は一般に円形で枠は高密度ポリエチレン製のパイプが用いられている。この枠に生簀網が取り付けられている。パイプの上部にはエアーの注入口、排気口、また底部には海水の注入口、排水口が設けられている。生簀の浮上、沈下はフロートに高圧のエアーを注入することによって、パイプから海水を排出し生簀を浮上させ、また沈下はパイプのエアーを排気し浮体に海水を注入することによって生簀を沈下させている。
生簀の浮沈はパイプへのエアーの注入、排気、海水の注入、排水によって行われる。パイプにエアーを注入した場合エアーの圧力よって海水は排水口から排水されるが、パイプ内においてエアーは均等に分布することが無くパイプ内の上部に集まる。このため生簀はこの部分から浮上し生簀は傾き生簀網の容積は減じ、このため生簀内の魚はパニックを起こし大変不安定な状況になる。生簀が傾くことから直径の大きな生簀への対応は出来ていない。
【０００６】
以上(1)、(2)、(3)共に浮沈本体にエアー、海水の注入、排気・排水により生簀の浮沈を行っている。(1)、(3)は生簀の浮沈時に生簀が傾き易いため、大型の生簀への対応が出来ないといった欠点がある。
(2)においては、浮沈本体は1個のため浮沈の安定性には問題ないが、生簀の容積を大きくすることが難しく、またコストが高くなるといった欠点がある。
すなわち、従来の浮沈システムでは、空気の注入によってフロート、鋼管、パイプ等の浮力体の海水を押し出して排出して浮力を得るようにしているため（一方、フロート等に海水を注入することで空気を追い出し、沈下させる）、オペレーションに多くの時間を要していた。また、空気が浮力体内で均一に充満できずに浮力体内部に空気溜まりが発生し、したがって、空気溜まりの部分から浮上するため生簀が傾き、内部の養殖魚にダメージを与えるおそれがあった。
特許文献１にも、パイプ方式生簀と類似の浮沈式生簀が開示されているが、このものは、環状のフロートと、フロート内に設けた複数のチューブと、を備えており、構造が複雑であると共に、複数のチューブにバランスよく給排気を行わないと生簀が傾いてしまうおそれがあり、浮沈の安定性が問題となり得る。
【０００７】
魚類の養殖はマグロ国際的な規制によりマグロ類の大型魚類の養殖が行われるようになってきている。現在マグロ用の生簀として大型で、安定して浮沈が出来る浮沈式生簀の製作が不可能なため海面固定型で設置場所は海況が平穏な場所に限られている。今後マグロ養殖は益々普及し沖合での設置が必要となってくる。沖合での養殖は海況が荒れることから大型で、安定して浮沈可能な浮沈式生簀が切望されている。
【０００８】
［Ｂ］定置網の箱網内の魚類の集魚と漁獲物の引き揚げ
定置網の概念図を図４に示す。一般的に道網に突き当たった魚は、道網に沿って泳ぎ、運動場に入り、昇り網に沿って昇り、内昇りから箱網に入る。
一般的にはこの箱網に入った漁獲物は、定置起し船と呼ばれる船に搭載されている、キャッチホーラーと呼ばれている複数台の網たぐり装置により、箱網の底部分を順次手繰り寄せ、漁獲物を箱網の魚捕部に追い込んで、最後にタモ網等魚捕部から漁獲物を引き揚げる。
【０００９】
現在多く使われているキャッチホーラーによる網の手繰り寄せには、起し船ないしは箱網の幅に相当する複数の船が必要となり、またキャッチホーラー操作には人員が必要で、大変危険が伴いこれの改善策が求められていた。
ここで、箱網の底部を浮上させて漁獲物を魚捕部に導入できるようなシステムが望まれていた。
【先行技術文献】
【特許文献】
【００１０】
【特許文献１】特開２００３−５２２７３号
【発明の概要】
【発明が解決しようとする課題】
【００１１】
本発明は、簡単な構成でありながら、生簀や定置網の箱網、魚の大小選別網のような大型の漁業用網体を安定的に浮沈させることができる漁業用浮沈システムを提供することを目的とするものである。
【課題を解決するための手段】
【００１２】
かかる課題を解決すために本発明が採用した第１の技術手段は、
繊維を筒状に織った後、エアーの漏洩防止手段としてゴムや樹脂で内張りもしくは内張り、外張りを処理した可撓性のホースと、
前記ホースの内部空間に連通するように当該ホースに設けられた高圧空気の給排気口と、
前記給排気口に連結された給気・排気手段と、
前記ホースに連結された、あるいは／および、少なくとも一部が前記ホースにより形成されている漁業用網体と、を備え、
前記ホースの内部空間は、前記給排気口を除いてエアー漏れが無いように閉じられており、
前記ホースは、内部空間に空気が充填されない状態では扁平状に潰れており、内部空間に空気が充填された状態では円筒状に膨らむように形成されており、
前記漁業用網体は自重で沈下するように形成されており、
前記ホースは、水中において、前記給気手段により当該ホースの内部空間に空気を供給することで水圧を受けつつ膨らんで前記漁業用網体を浮上させ、前記排気手段と水圧との協働作用で扁平状に潰れて前記漁業用網体を沈下させる、
漁業用浮沈システム、である。
【００１３】
１つの態様では、前記漁業用網体は、魚類養殖用生簀である。すなわち、魚類を養殖する浮沈式生簀において可撓性ホースを生簀に配設し、可撓性ホースへの給排気により生簀の浮上、沈下を行う。
１つの態様では、前記可撓性ホースは、魚類養殖用生簀の全周に亘って配置されている。より具体的な態様では、長尺状の可撓性ホースを、魚類養殖用生簀の全周に亘って無端状（円形、方形等の形状を問わない）に配置する。
生簀は、生簀網と生簀枠とから構成されており、好ましくは、可撓性ホースは生簀枠に取り付けられる。
【００１４】
１つの態様では、前記漁業用網体は、定置網の箱網部である。この場合、好ましくは、前記ホースは、定置網の箱網の底部の下面に位置して配置される。すなわち、可撓性ホースを定置網の箱網底部に配設し、給排気により定置網の箱網の底部を海面に浮上または沈下させる。
１つの態様では、定置網の箱網の底部に配設された前記ホースは、当該底部全体に亘って網目模様に構成されたホースネットである。
１つの態様では、ホースネットは、レンガ積み様の網目模様に構成されている。
【００１５】
１つの態様では、前記漁業用網体は、複数の網目を備えた選別部分と、当該選別部分の周囲の縁部と、を備えた魚の大小選別ホースネットである。
１つの態様では、前記ホースは、前記魚の大小選別ホースネットの縁部全体に亘って配置されている。
１つの態様では、前記魚の大小選別ホースネットの一部あるいは全部が前記ホースから形成されている。
【００１６】
１つの態様では、前記ホースとして、消防用ホースを用いることができる。消防用ホースは、市販品として市場において取得可能であり、本発明の可撓性ホースとして、消防用ホースを用いることで、浮沈システム全体のコストを低減できると共に、可撓性ホースの補修も容易である。いかなる形態・寸法の可撓性ホースやホースネットであっても、消防用ホースを適宜加工（湾曲、連結、切断、継ぎ足し等）することによって対応できる。
【００１７】
本発明が採用した第２の技術手段は、
繊維を筒状に織った後、エアーの漏洩防止手段としてゴムや樹脂で内張りもしくは内張り、外張りを処理した可撓性のホースと、
前記ホースの内部空間に連通するように当該ホースに設けられた高圧空気の給排気口と、
前記給排気口に連結された給気・排気手段と、を備え、
前記ホースの内部空間は、前記給排気口を除いてエアー漏れが無いように閉じられており、
前記ホースは、内部空間に空気が充填されない状態では扁平状に潰れており、内部空間に空気が充填された状態では円筒状に膨らむように形成されており、
前記ホースは、水中において、前記給気手段により当該ホースの内部空間に空気を供給することで水圧を受けつつ膨らみ、前記排気手段と水圧との協働作用で扁平状に潰れる、
漁業用網体の浮沈に用いる浮沈式ホース、である。
【発明の効果】
【００１８】
本発明では、浮上体内部の海水を押し出し、海水による内部の空気の押し出す場合に比べて、空気の注入、排出を迅速に行うことにより、漁業用網体を短時間で浮沈させることができる。
従来の樹脂製、ポリエチレン製のフロートでは、空気は高い位置に集まるため、一部分に集中し続けて傾きを助長するのに対して、本発明の可撓性ホースは、その形状が「扁平形状」と「円筒形状」の間で可変であると共に、その外周面から常に水圧を受けているので、水圧を受けた状態で空気注入を行うことで、空気が一部分に集中せず、ホースの内部空間に均一に充填され易いと考える。また、空気を排出する時にも、その外周面から常に均等に水圧を受けているので、内部空間に空気が均一に充填された状態を保ちつつ、排気手段と水圧との協働作用によってスムーズに排気が行われる。
したがって、本発明の漁業用浮沈システムは、短時間、かつ安定的に大型の生簀や定置網の箱網（底部）のような大型の漁業用網体を浮沈させることができる。
【００１９】
本発明において、浮力体である適用される可撓性ホースは、漁業用網体の形状・寸法に応じて、様々な形状・寸法に加工可能である。
また、可撓性ホースは内部空間に空気が充填されない状態では扁平状に潰れており、内部空間に空気が充填された状態では円筒状に膨らむように形成されているので、樹脂製のフロート等に比べて軽く、持ち運びが便利（扁平状にしてロールするなどして）などの、作業上の便利さも備えている。
【図面の簡単な説明】
【００２０】
【図１】従来のフロート式生簀を示す図である。
【図２】従来のスパー式生簀を示す図である。
【図３】従来のパイプ式生簀を示す図である。
【図４】定置網の概念図である。
【図５】浮沈式生簀の概念図を示す。
【図６】ホースの概念図を示す。
【図７】ホースの概念図を示す。
【図８】ホースネットの概念図を示す。
【図９】ホースネットを用いた定置網の箱網底部の浮上を示す図である。
【図１０】魚の大小選別ホースネットの第１の実施形態を示す図である。
【図１１】魚の大小選別ホースネットの第２の実施形態を示す図である。
【発明を実施するための形態】
【００２１】
［Ａ］浮沈式ホース
本発明の漁業用浮沈システムは、繊維を筒状に織った後、エアーの漏洩防止手段としてゴムや樹脂で内張りもしくは内張り、外張りを処理した可撓性のホースと、前記ホースの内部空間に連通するように当該ホースに設けられた高圧空気の給排気口と、前記給排気口に連結された給気・排気手段と、を備えた浮沈式ホースを構成要素としている。
【００２２】
可撓性ホースの本体は、ポリエステル繊維等の合成繊維からなる経糸、緯糸を、平織機、円形織機等により筒状の織物に織成することで得られる。可撓性ホース本体は、織物から形成されているため、可撓性ホースの形態の変化を許容する可撓性を備えており、また、海中での使用に耐えうる所定の強度をも備えている。可撓性ホース本体を構成する筒状織物の織り方は限定されず、平織、綾織等の公知の織り方を例示することができる。
【００２３】
筒状に織成した可撓性ホース本体の内周面、又は、内周面及び外周面には、ゴム（合成ゴムあるいは天然ゴム）または樹脂（合成樹脂あるいは天然樹脂）が略均一に被覆されており、エアー漏れ防止用の内張り（ライニング）、又は内張り及び外張りが形成されている。内張り、又は内張り及び外張りを形成する材料は、織成された可撓性ホース本体の形態の変化に追従して変形する柔軟性・伸縮性を備えている。より具体的な例では、内張り、又は内張り及び外張りは、ポリウレタンエラストマから形成される。
【００２４】
可撓性ホースは、内部空間に空気が充填されない状態では扁平状に潰れており（水圧下のみならず大気圧下においても）、内部空間に空気が充填された状態では円筒状に膨らむように形成されている。
【００２５】
円筒状に膨らんだ状態での可撓性ホースの内径（直径）は、特には限定されないが、幾つかの態様では、60〜300ｍｍである。また、円筒状に膨らんだ状態での可撓性ホースの内径は、長さ方向全体に亘って均一である。
【００２６】
可撓性ホースの内部空間は、前記給排気口を除いてエアー漏れが無いように閉じられている。１つの態様では、可撓性ホースの端部を閉塞する。あるいは、１つの態様では、可撓性ホースの端部同士をエアー漏れが無いような状態で連通連結する。１つの態様では、浮沈式ホースは、１本あるいは複数本の可撓性ホースから無端状（図示の例では環状）に形成されている。１本の可撓性ホースから無端状の浮沈式ホースを形成する場合には、１本の可撓性ホースの両端をカプラーでエアー漏れが無いような態様で連結する。複数本の可撓性ホースから無端状の浮沈式ホースを形成する場合には、各ホースの端部同士をカプラーでエアー漏れが無いような態様で連結する。また、可撓性ホースは任意の形態に変形可能であると共に、複数本の可撓性ホースを継ぎ足すこともでき、したがって、可撓性ホースを様々な形態に加工して、任意の形態・寸法の浮沈式ホースをも形成することができる。
【００２７】
１つの態様では、給気・排気手段が長尺状のホースであり、可撓性ホースの内部空間と流体連通するように給排気口に接続される。１つの態様では、給気・排気手段としての長尺状のホースの一方の端部は、可撓性ホースに設けられた給排気口（カプラーによる連結部に設けてもよい）に接続され、給気・排気手段としての長尺状のホースの他方の端部は、海上にまで達しており、コンプレッサーに接続されている。吸気・排気手段は、１つの浮沈式ホースに１つ設けても、あるいは複数個設けてもよい。独立した内部空間を備えた複数本の可撓性ホースから浮沈式ホースが形成されている場合には、少なくとも独立した内部空間に対応する個数の吸気・排気手段が必要となる。
【００２８】
漁業用浮沈システムにおいて、可撓性ホースの外周面は水中で水圧を直接受けるように露出している。可撓性ホースは、水中において、前記給気手段により当該ホースの内部空間に空気を供給することで外周面全体が水圧を均等に受けつつ膨らむ。可撓性ホースの外周面が水圧を均等に受けた状態で、可撓性ホースの内部空間に高圧空気を注入することで、空気が、潰れている可撓性ホースの内部空間を少しずつ拡開させながら、可撓性ホースの長さ方向にスムーズに流れていき、短時間で内部空間全体に空気が行き渡って、内部空間が空気によって均一に充填される。
【００２９】
一方、内部空間に空気が充填されて膨らんだ可撓性ホースにおいて、前記排気手段を実行すると、当該排気手段と水圧との協働作用で膨らんだ可撓性ホースは扁平状に潰れていき、平坦に押し潰された状態となる。沈降して行くにしたがって可撓性ホースの外周面により大きい水圧が作用するので、沈降を開始した後は、主として水圧の力によって効率的に空気が排出されていく。
【００３０】
以下に、このような浮沈式ホースを用いた漁業用浮沈システムについて、浮沈式生簀及び浮沈式ホースネットの実施形態に基づいて説明する。
【００３１】
［Ｂ］浮沈式ホースを用いた浮沈式生簀
浮沈式魚類養殖用生簀は、魚類を養殖する浮沈式生簀において、繊維を筒状に織った後、エアーの漏洩防止手段としてゴムや樹脂で内張りもしくは内張り、外張り処理をし、高圧空気の給排気口を設け、この給排気口には給気・排気手段が連結された、浮沈式ホースを生簀枠に配設し給排気により生簀の浮上、沈下をさせることを特徴としている。
【００３２】
本発明に係る浮沈式生簀の実施形態について図５乃至図７を参照して説明する。図５に示すように、浮沈式生簀１は、上端が開口状で有底の円筒状の網体２から形成されている。網体２の上端には、開口の周縁に亘って円形状の枠部３が設けてある。網体２には、上端の周縁以外の部位においても、海中における形状を維持するべく、適宜枠部（図示せず）が設けられ得る。生簀１の寸法は限定されないが、開口の直径、深さ共に数十ｍのオーダである。尚、生簀の全体形状は円筒状に限定されるものではなく、例えば角筒状で、開口の周縁に亘って方形状の枠部が設けてあるものでもよい。
【００３３】
浮沈式生簀１の円形状の枠部３には、枠部３の周方向（枠部３の内周あるいは外周）に沿って可撓性ホース４が取り付けられている。可撓性ホース４は、好適には、生簀１の上端部位に取り付けられるが、可撓性ホース４が取り付けられる部位は、生簀１の上端に限定されるものではなく、高さ方向の中間部位や下方部位に可撓性ホース４を取り付けてもよい。
【００３４】
円形状の枠部３の長さに対応した所定長の可撓性ホース４を用意し、環状に曲げて両端をカプラー５でエアー漏洩が無い様に固定し、可撓性ホース４の内部空間と連通するように高圧空気の給排気口６を設け、給排気口６には長尺状の通気ホース７の一端が連結されている。通気ホース７の他端は、海上において、図示しないコンプレッサーに接続されている。図示の態様では、カプラー５に位置して給排気口６が形成されているが、可撓性ホース４の他の部分に給排気口６を形成してもよい。図７には、２本の可撓性ホース４Ａ、４Ｂを環状に配置してなる浮沈式ホースを示す。可撓性ホース４Ａ、４Ｂの各端部は閉塞されている。可撓性ホース４Ａ、４Ｂの対向する一対の端部にそれぞれ高圧空気の給排気口６が設けられ、各給排気口６は共通の通気ホース７に接続されている。
【００３５】
可撓性ホース４は、平織機、円形織機で筒状の織物を織って本体を形成した後、内側を樹脂・ゴム等で内張りしたホースであり、より具体的には、既述の記載を援用することができる。可撓性ホース４の本体は織物で出来ているため、柔軟性があり円形等の任意の形状にも製作が可能で、今までに無い浮力材を提供する。
【００３６】
本実施形態において、通気ホース７に給気することによって、可撓性ホース４は瞬時に全体が膨らみ浮力が発生し、生簀全体を均一に浮上させることが出来る。従来のような(1)、(2)の浮力システムでは、給気によって浮体の海水を排水するため時間を要し、また空気が浮力体内で均一に充満することが無いので浮体内部に空気溜りが発生し、この部分から浮上し生簀は傾いて浮上し、内部の魚にダメージを与えやすかった。
【００３７】
沈下は排気口から可撓性ホース４内の空気を排気する事によって、水圧によって可撓性ホース４内の空気は排気され、生簀は均一に沈下してゆく。沈下は今までのように排気口のヘッドによることが無いので、生簀が傾くようなことは全く無い。すなわち本生簀は可撓性ホース４への給気によって生簀は均一に浮上し、排気によって均一に沈下するといった今までに無い特徴を持っており、また今までに無い大型の生簀を製作することが可能である。
【００３８】
［Ｃ］定置網の箱網浮沈ホースネット
定置網の箱網部浮沈装置は、繊維を筒状に織った後、エアーの漏洩防止手段としてゴムや樹脂で内張りもしくは内張り、外張り処理をし、高圧空気の給排気口を設け、この給排気口には給気・排気手段が連結された、浮沈式ホースを定置網の箱網の底部に配設し、給排気により定置網の箱網の底部を海面に浮上または沈下させること特徴としている。
【００３９】
本実施形態は、繊維を筒状に織った後、エアーの漏洩防止手段として可撓性物質で内張りもしくは内張り、外張り処理をし、高圧空気の給排気口を設け、この給排気口には給気・排気手段が連結された、浮沈式ホースを図８のように網目模様に構成して定置網の箱網底部浮沈用のホースネット８を形成する。ホースネット８を図９に示すように定置網９の箱網９０の底部に設け、給排気により定置網の箱網９０の底部を海面に浮上させ、また海中に沈下させる。箱網９０の大きさは限定されないが、一般に、底部の寸法は凡そ70×100ｍ、高さ約60ｍである。ホースネット８のホースは、箱網９０の底部の面積よりも大きい面積に亘って延びている。
【００４０】
図８に示すように、ホースネット８は、全体として方形状に亘って経緯方向に延びるホースからレンガ積みの様な網目模様に形成されている。より具体的には、ホースネット８は、互いに間隔を存して平行して第１の方向に延びる複数の長尺の緯ホース８０と、各緯ホース８０を連結するように第２の方向（図示の例では、第１の方向に直交している）に延びる複数の短尺の経ホース８１と、各緯ホース８０の長さ方向端部を第２の方向に連結する長尺の経ホース８１´と、からなる。短尺の経ホース８１は第２の方向に連続しないように配置されている。すなわち、短尺の縦ホース８１の両端は、平行する隣り合う緯ホース８０にそれぞれ連結されており、縦ホース８１の端部同士は直接連結されていない。本明細書では、このように、短尺の経ホース８１が上下２段以上縦に連続しないような網目模様を、レンガ積み様網目模様という。
【００４１】
全体として方形状のホースネット８の四方の周縁は、前後（図８では上下）の緯ホース８０と、側方の経ホース８１と、からなり、一方（図８では上方）の緯ホース８０の長さ方向中央には、高圧空気の給排気口６´が設けてある。給排気口６´から緯ホース８０に注入された空気は、当該緯ホース８０の内部空間を第１の方向に流れ、当該緯ホース８０に連通している４本の経ホース８１の内部空間を第２の方向に流れ、当該緯ホース８０の隣位の緯ホース８０の内部空間の第１の方向に流れ、以下、経ホース８１、緯ホース８０の内部空間を通って第２の方向、第１の方向に順次交互に流れて、ホースネット８の内部空間を空気で充填する。
【００４２】
浮沈式ホースをレンガ積みの様な網目模様に配置してホースネット８を形成することによって、ホースネット８のホース内を高圧空気が均等に伝達するために、略同時にホースネット８全体が浮上することが出来、このことは今までに無い大きな特徴である。尚、図示の態様では、全体として方形状のホースネットを示したが、箱網の底部の下面に配置されて当該底部を浮上できるものであれば、その形状は限定されず、例えば、多角形状、長円状等の全体形状を有していてもよい。
【００４３】
定置網９において、道網９１に突き当たった魚は、道網９１に沿って泳ぎ、運動場９２に入り、昇り網９３に沿って昇り、内昇り９４から箱網９０に入る。ホースネット８によって定置網の箱網９０の底部を海面に浮上させることによって、今までのように網を手繰り寄せるための船の必要がなくなり、またキャッチホーラーを使うことも無くなり、安全性が向上し、漁獲物を魚捕部ないしは落し網（金庫）に導くことが可能となり、今までに無い網揚げ方法である。
【００４４】
［Ｄ］魚の大小選別ホースネット
魚の大小選別ホースネット１０は養殖生簀内の養殖魚の大小選別、定置網の箱網内の魚の大小選別等を行うもので、図１０、図１１に示すように、複数の網目を備えた選別部分と、当該選別部分の周囲の縁部と、を備えている。魚の大小選別ホースネットの形状は、そのホースネットが設けられる夫々の網の形状に出来るだけ合わせる様な形状とし、魚の大小の選別は、網目の大きさによって行う。
【００４５】
図１０に示す態様では、魚の大小選別ホースネット全体が可撓性ホースから構成されている。具体的には、魚の大小選別ホースネット１０の縁部をホース１００から形成すると共に、対向する縁部間に経緯方向に延びるホース１００によって複数の網目が形成されている。全てのホース１００の内部空間は連通されており、縁部のホース１００に設けた１つの給排気口を用いて高圧空気の給排気を行う。
【００４６】
図１１に示す態様では、魚の大小選別ホースネットの一部が可撓性ホースから構成されている。具体的には、魚の大小選別ホースネット１０の縁部をホース１００から形成すると共に、対向する縁部間に経緯方向に延びるロープ１０１によって複数の網目、すなわち網地が形成されている。縁部のホース１００に設けた１つの給排気口を用いて高圧空気の給排気を行う。あるいは、魚の大小選別ホースネットの縁部をロープから形成すると共に、対向する縁部間に経緯方向に延びるロープによって複数の網目を形成し、縁部のロープに沿って可撓性ホースを設けてもよい。
【００４７】
魚の大小選別は、先ず選別ホースネット１０を、生簀や定置網の底部に設置し、ホースネット１０に高圧の空気を給気し、ホースネットを展開、浮上させ網目で魚の大小を選別する。
【産業上の利用可能性】
【００４８】
本発明は、浮沈式生簀を用いたマグロ類の大型魚類の養殖、定置網の箱網内の魚類の集魚及び漁獲物の引き揚げ、魚の大小選別等に利用することができる。より具体的には、本発明の浮沈式ホースを用いることにより、大型の生簀が安定し沈下、浮上が可能で、沖合での養殖に大きな効果をもたらすことが出来、また浮沈式網目模様ホースネットを定置網の箱網の底部に設けることにより網を手繰り寄せるための船が必要なくなり、またキャッチホーラーを使うことも無くなり、安全性が向上し、漁獲物を魚捕部に導きことが可能となる。
【符号の説明】
【００４９】
１  浮沈式生簀
２  網体
３  枠部
４  可撓性ホース
５  カプラー
６  給排気口
６´  給排気口
７  通気ホース
８  ホースネット
９  定置網
９０  箱網
１０    魚の大小選別ホースネット
１００  縁部の可撓性ホース
１０１  ロープ
【図１】
2011142878.tif 000003
【図２】
2011142878.tif 000004
【図３】
2011142878.tif 000005
【図４】
2011142878.tif 000006
【図５】
2011142878.tif 000007
【図６】
2011142878.tif 000008
【図７】
2011142878.tif 000009
【図８】
2011142878.tif 000010
【図９】
2011142878.tif 000011
【図１０】
2011142878.tif 000012
【図１１】
2011142878.tif 000013